(57)【要約】【課題】被写体が所持する携帯端末の効率的な処理により当該被写体を的確に捉えることができるようにする。【解決手段】自分撮りシステム１００において、ネットワークカメラ３が当該ネットワークカメラ３で撮像された画像に係る画像情報を送信し、ビーコン４がビーコンＩＤを送信し、携帯端末２がビーコンＩＤを受信し、ビーコンＩＤの受信状況に基づき、当該ビーコンＩＤに対応するトラッキングデータを生成し、生成されたトラッキングデータを送信し、サーバ１が、ネットワークカメラ３より送信された画像情報、及び、携帯端末２より送信されたトラッキングデータを受信し、当該画像情報と当該トラッキングデータとに基づき、当該画像情報の画像から被写体の出入の日時に関連する部分の画像を特定する。【選択図】図９
2019114952.tif 000002
【特許請求の範囲】
【請求項１】
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムであって、
前記撮像装置は、当該撮像装置で撮像された画像に係る画像情報を送信する撮像装置側送信手段を備え、
前記送信装置は、前記送信装置ＩＤを送信する送信装置側送信手段を備え、
前記携帯端末は、
前記送信装置側送信手段より送信された前記送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を送信する携帯端末側送信手段と、
を備え、
前記画像処理装置は、
前記撮像装置側送信手段より送信された前記画像情報、及び、前記携帯端末側送信手段より送信された前記情報を受信する画像処理装置側受信手段と、
前記画像処理装置側受信手段により受信された前記画像情報と前記情報とに基づき、前記画像情報の画像から前記送信装置が設置されているエリアへの前記被写体の出入の日時に関連する部分の画像を特定する画像特定手段と、
を備える、
ことを特徴とする画像処理システム。
【請求項２】
前記撮像装置と前記送信装置とをそれぞれ複数備え、
複数のエリアのそれぞれに前記撮像装置と前記送信装置とを設置し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記情報を受信し、
前記画像特定手段は、前記画像処理装置側受信手段により受信された前記画像情報及び当該画像情報と対応付けられている前記送信装置ＩＤ、並びに、前記携帯端末側送信手段より送信された前記情報に基づき、前記画像情報毎に、当該画像情報の画像から前記被写体の出入の日時に関連する部分の画像を特定する、
ことを特徴とする請求項１に記載の画像処理システム。
【請求項３】
前記携帯端末を複数備え、
複数の被写体がそれぞれ前記携帯端末を所持し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記携帯端末側送信手段は、前記携帯端末側生成手段により生成された前記情報と前記被写体のユーザＩＤとを対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記情報及び前記ユーザＩＤを受信し、
前記画像特定手段は、前記画像処理装置側受信手段により受信された前記画像情報及び当該画像情報と対応付けられている前記送信装置ＩＤ、並びに、前記携帯端末側送信手段より送信された前記情報及び前記ユーザＩＤに基づき、前記画像情報毎に、当該画像情報の画像から前記ユーザＩＤの被写体の出入の日時に関連する部分の画像を特定する、
ことを特徴とする請求項１または２に記載の画像処理システム。
【請求項４】
前記画像処理装置は、
前記画像処理装置側受信手段により受信された前記画像情報及び当該画像情報と対応付けられている前記送信装置ＩＤと、前記携帯端末側送信手段より送信された前記情報及び前記ユーザＩＤと、の関連性を示す関連情報を生成する画像処理装置側生成手段と、
前記画像処理装置側生成手段により生成された前記関連情報を記憶手段に記憶させる記憶制御手段と、
を更に備え、
前記画像特定手段は、前記記憶手段に記憶された前記関連情報に基づき、前記画像情報毎に、当該画像情報の画像から所望の前記ユーザＩＤの被写体の出入の日時に関連する部分の画像を特定する、
ことを特徴とする請求項３に記載の画像処理システム。
【請求項５】
前記画像処理装置は、前記画像特定手段により特定された画像を切り出す画像切出手段を更に備える、
ことを特徴とする請求項１〜４のいずれか一項に記載の画像処理システム。
【請求項６】
前記画像処理装置は、前記画像切出手段により切り出された複数の画像を合成する画像合成手段を更に備える、
ことを特徴とする請求項５に記載の画像処理システム。
【請求項７】
前記携帯端末側送信手段は、前記携帯端末のユーザ操作に基づき入力された入力情報を更に送信し、
前記画像処理装置側受信手段は、前記携帯端末側送信手段より送信された前記入力情報を受信し、
前記画像合成手段は、前記画像切出手段により切り出された複数の画像を合成する際に、前記画像処理装置側受信手段により受信された前記入力情報を更に合成する、
ことを特徴とする請求項６に記載の画像処理システム。
【請求項８】
前記画像合成手段は、前記画像切出手段により切り出された複数の画像を合成する際に、当該複数の画像を時系列に沿って合成する、
ことを特徴とする請求項６または７に記載の画像処理システム。
【請求項９】
前記画像合成手段は、前記画像切出手段により切り出された複数の画像を合成する際に、前記撮像装置が設置されたエリア毎に当該複数の画像を合成する、
ことを特徴とする請求項６〜８のいずれか一項に記載の画像処理システム。
【請求項１０】
前記画像処理装置は、前記画像合成手段による前記複数の画像の合成が終了した際に、当該合成が終了したことを示す終了通知情報を前記携帯端末へ送信する画像処理装置側送信手段を更に備える、
ことを特徴とする請求項６〜９のいずれか一項に記載の画像処理システム。
【請求項１１】
前記画像処理装置は、前記画像合成手段により合成された合成画像を画像共有サイトへアップロードするアップロード手段を更に備える、
ことを特徴とする請求項６〜１０のいずれか一項に記載の画像処理システム。
【請求項１２】
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムによる画像処理方法であって、
前記撮像装置によって当該撮像装置で撮像された画像に係る画像情報を送信する工程と、
前記送信装置によって前記送信装置ＩＤを送信する工程と、
前記携帯端末によって、前記送信装置より送信された前記送信装置ＩＤを受信し、当該送信装置ＩＤの受信状況に基づき、当該送信装置ＩＤに対応する情報を生成し、当該情報を送信する工程と、
前記画像処理装置によって、前記撮像装置より送信された前記画像情報、及び、前記携帯端末より送信された前記情報を受信し、前記画像情報と前記情報とに基づき、前記画像情報の画像から前記送信装置が設置されているエリアへの前記被写体の出入の日時に関連する部分の画像を特定する工程と、
を含むことを特徴とする画像処理方法。
【請求項１３】
所定のエリアに設置された撮像装置により撮像された画像の画像情報を受信する第１の受信手段と、
被写体が所持する携帯端末による前記所定のエリアに設置されている送信装置の送信装置ＩＤの受信状況に基づき生成された当該送信装置ＩＤに対応する情報を受信する第２の受信手段と、
前記第１の受信手段により受信された前記画像情報と、前記第２の受信手段により受信された前記情報とに基づき、前記画像情報の画像から前記送信装置が設置されているエリアへの前記被写体の出入の日時に関連する部分の画像を特定する画像特定手段と、
を備える、
ことを特徴とする画像処理装置。
【請求項１４】
画像処理装置のコンピュータを、
所定のエリアに設置された撮像装置により撮像された画像の画像情報を受信する第１の受信手段、
被写体が所持する携帯端末による前記所定のエリアに設置されている送信装置の送信装置ＩＤの受信状況に基づき生成された当該送信装置ＩＤに対応する情報を受信する第２の受信手段、
前記第１の受信手段により受信された前記画像情報と、前記第２の受信手段により受信された前記情報とに基づき、前記画像情報の画像から前記送信装置が設置されているエリアへの前記被写体の出入の日時に関連する部分の画像を特定する画像特定手段、
として機能させることを特徴するプログラム。
【請求項１５】
被写体が所持する携帯端末であって、
所定のエリアに設置され、自装置を識別する送信装置ＩＤを送信する送信装置より送信された当該送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を画像処理装置に送信する携帯端末側送信手段と、
前記所定のエリアに設置された撮像装置により撮像された画像と前記情報とに基づき、前記画像処理装置により特定された前記所定のエリアへの前記被写体の出入の日時に関連する部分の画像を取得する取得手段と、
を備えることを特徴とする携帯端末。
【請求項１６】
前記携帯端末側生成手段は、前記送信装置ＩＤを受信したタイミングで当該送信装置ＩＤに対応する情報を生成する、
ことを特徴とする請求項１５に記載の携帯端末。
【請求項１７】
前記携帯端末側生成手段は、前記送信装置ＩＤに対応する情報として、当該送信装置ＩＤに対応する前記送信装置が設置されているエリアへの前記被写体の出入の日時に関する出入日時情報を生成する、
ことを特徴とする請求項１５又は１６に記載の携帯端末。
【発明の詳細な説明】
【技術分野】
【０００１】
本発明は、画像処理システム、画像処理方法、画像処理装置、プログラム及び携帯端末に関する。
【背景技術】
【０００２】
従来、移動する被写体を所定の位置で自動撮影する際に、その被写体の出現を的確に捉えて撮影できるようにした撮影システムが提案されている（例えば、特許文献１参照）。
【先行技術文献】
【特許文献】
【０００３】
【特許文献１】特開２０１４−２２５８３１号公報
【発明の概要】
【発明が解決しようとする課題】
【０００４】
しかしながら、上記特許文献１に開示されている撮影システムでは、被写体の出現を的確に捉えるために被写体が所持する携帯機器から無線電波によるビーコン信号（撮影指示信号）を常に発信しなければならず、携帯機器の処理負荷が大きいものとなってしまうという問題がある。
【０００５】
本発明は、このような問題に鑑みてなされたものであり、被写体が所持する携帯端末の効率的な処理により当該被写体を的確に捉えることのできる画像処理システム、画像処理方法、画像処理装置、プログラム及び携帯端末を提供することを目的とする。
【課題を解決するための手段】
【０００６】
上記課題を解決するため、本発明の画像処理システムは、
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムであって、
前記撮像装置は、当該撮像装置で撮像された画像に係る画像情報を送信する撮像装置側送信手段を備え、
前記送信装置は、前記送信装置ＩＤを送信する送信装置側送信手段を備え、
前記携帯端末は、
前記送信装置側送信手段より送信された前記送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を送信する携帯端末側送信手段と、
を備え、
前記画像処理装置は、
前記撮像装置側送信手段より送信された前記画像情報、及び、前記携帯端末側送信手段より送信された前記情報を受信する画像処理装置側受信手段と、
前記画像処理装置側受信手段により受信された前記画像情報と前記情報とに基づき、前記画像情報の画像から前記送信装置が設置されているエリアへの前記被写体の出入の日時に関連する部分の画像を特定する画像特定手段と、
を備える、
ことを特徴とする。
【発明の効果】
【０００７】
本発明によれば、被写体が所持する携帯端末の効率的な処理により当該被写体を的確に捉えることができる。
【図面の簡単な説明】
【０００８】
【図１】自分撮りシステムの概略構成を示す図である。
【図２】サーバの機能的構成を示すブロック図である。
【図３】携帯端末の機能的構成を示すブロック図である。
【図４】ネットワークカメラの機能的構成を示すブロック図である。
【図５】自分撮りシステムを利用した撮影サービスの一例を示すイメージ図である。
【図６】個人用のチャット内でのカメラボットとの会話を表示した携帯端末の画面を示す図である。
【図７】グループ用のチャット内でのカメラボットとの会話を表示した携帯端末の画面を示す図である。
【図８】（ａ）は各ユーザ個人用のログファイルを示す図であり、（ｂ）はグループ用のログファイルを示す図である。
【図９】画像編集処理の一例を示すフローチャートである。
【発明を実施するための形態】
【０００９】
以下に、本発明について、図面を用いて具体的な態様を説明する。ただし、発明の範囲は、図示例に限定されない。
【００１０】
＜自分撮りシステムの構成＞
先ず、自分撮りシステム（画像処理システム）１００の概略構成について、図１を参照して説明する。図１は、自分撮りシステム１００の概略構成を示す図である。
図１に示すように、自分撮りシステム１００は、サーバ（画像処理装置）１と、１または複数の携帯端末２と、１または複数のネットワークカメラ（撮像装置）３及びビーコン（送信装置、送信装置側送信手段）４と、を備えている。サーバ１と携帯端末２、及び、サーバ１とネットワークカメラ３とは、それぞれインターネット５を介して情報通信可能に接続されている。また、ビーコン４は自装置を識別するビーコンＩＤ（ビーコン信号）を随時発信しており、携帯端末２は、ビーコン４の受信エリアに進入した際にこのビーコン４のビーコンＩＤを受信する構成となっている。
【００１１】
サーバ１は、自分撮りシステム１００による撮影サービスをユーザに提供するサーバであり、携帯端末２から送信されたトラッキングデータ（後述）や、ネットワークカメラ３から送信された画像情報などを記憶し管理する。また、サーバ１は、種々のプログラムを実行することで、各種データ処理（例えば、ユーザ登録（グループ登録）、画像編集、画像公開など）を行う。
【００１２】
携帯端末２は、例えば、ユーザが移動する際に所持するスマートフォン、タブレットＰＣ、携帯電話機、ＰＤＡ等である。携帯端末２は、ユーザの入力操作を受け付け、当該入力操作に基づく情報をサーバ１に送信し、サーバ１から送信されて受信した情報を表示する。
【００１３】
ネットワークカメラ３は、自分撮りシステム１００による撮影サービスを実施する所定のエリアを撮影するためのネットワークカメラであり、撮影された画像情報（録画日時情報を含む）をサーバ１に随時送信する。この撮影サービスを実施する所定のエリアは、一ヵ所でも複数ヵ所でも良い。
【００１４】
ビーコン４は、自分撮りシステム１００による撮影サービスを実施する所定のエリア内に設置され、ビーコンＩＤを随時発信する。つまり、ビーコン４は、撮影サービスを実施する所定のエリアの数に応じた数分だけ設置されるようになっている。
【００１５】
図２は、サーバ１の機能的構成を示すブロック図である。
図２に示すように、サーバ１は、ＣＰＵ（Central Processing Unit）１１（画像特定手段、画像処理装置側生成手段、記憶制御手段、画像切出手段、画像合成手段、アップロード手段）と、ＲＡＭ（Random Access Memory）１２と、記憶部１３と、操作部１４と、表示部１５と、通信部（画像処理装置側受信手段、画像処理装置側送信手段、第１の受信手段、第２の受信手段）１６とを備えている。また、サーバ１の各部は、バス１７を介して接続されている。
【００１６】
ＣＰＵ１１は、サーバ１の各部を制御する。ＣＰＵ１１は、記憶部１３に記憶されているシステムプログラム及びアプリケーションプログラムのうち、指定されたプログラムを読み出し、ＲＡＭ１２のワークエリアに展開し、当該プログラムに従って各種処理を実行する。
【００１７】
ＲＡＭ１２は、例えば、揮発性のメモリであり、ＣＰＵ１１により読み出された各種のプログラムやデータを一時的に格納するワークエリアを有する。
【００１８】
記憶部１３は、例えば、ＨＤＤ（Hard Disk Drive）、ＳＳＤ（Solid State Drive）等により構成され、データ及びプログラムを書き込み及び読み出し可能な記憶部である。また、記憶部１３は、プログラム１３ａ、ログファイルＤＢ１３ｂ、画像情報ＤＢ１３ｃなどを記憶している。
【００１９】
プログラム１３ａは、ＣＰＵ１１により実行される上述の各種システムプログラム及びアプリケーションプログラムを含む。
ログファイルＤＢ（記憶手段）１３ｂは、自分撮りシステム１００による撮影サービスの利用登録を行ったユーザ又はグループを対象として作成されたログファイル（後述）が登録されたデータベースである。
画像情報ＤＢ１３ｃは、インターネット５を介してネットワークカメラ３から送信された画像情報が登録されたデータベースである。
【００２０】
操作部１４は、例えば、キーボード等のキー入力部と、マウス等のポインティングデバイスとを有している。また、操作部１４は、キー入力及び位置入力を受け付け、その操作情報をＣＰＵ１１に出力する。
【００２１】
表示部１５は、例えば、ＬＣＤ（Liquid Crystal Display）や有機ＥＬ（Electro Luminescence）ディスプレイ等から構成されている。また、表示部１５には、ＣＰＵ１１から入力される表示信号の指示に従って、各種画面を表示する。
【００２２】
通信部１６は、例えば、ネットワークカード等により構成されている。また、通信部１６は、インターネット５に通信接続されて、インターネット５上の機器（例えば、携帯端末２、ネットワークカメラ３等）との通信を行う。
【００２３】
図３は、携帯端末２の機能的構成を示すブロック図である。
図３に示すように、携帯端末２は、ＣＰＵ（携帯端末側生成手段、取得手段）２１と、ＲＡＭ２２と、記憶部２３と、操作部２４と、表示部２５と、通信部（携帯端末側受信手段、携帯端末側送信手段、取得手段）２６とを備えている。また、携帯端末２の各部は、バス２７を介して接続されている。
【００２４】
ＣＰＵ２１は、携帯端末２の各部を制御する。ＣＰＵ２１は、記憶部２３に記憶されているシステムプログラム及びアプリケーションプログラムのうち、指定されたプログラムを読み出し、ＲＡＭ２２のワークエリアに展開し、当該プログラムに従って各種処理を実行する。その際に、ＣＰＵ２１は、ＲＡＭ２２内に各種処理結果を格納させ、必要に応じてその処理結果を表示部２５に表示させる。
【００２５】
ＲＡＭ２２は、例えば、揮発性のメモリであり、ＣＰＵ２１により読み出された各種のプログラムやデータを一時的に格納するワークエリアを有する。
【００２６】
記憶部２３は、例えば、ＨＤＤ、ＳＳＤ等により構成され、データ及びプログラムを書き込み及び読み出し可能な記憶部である。また、記憶部２３は、プログラム２３ａを記憶している。プログラム２３ａは、ＣＰＵ２１により実行される上述の各種システムプログラム及びアプリケーションプログラムを含む。
【００２７】
操作部２４は、各種機能キーを備え、ユーザによる各キーの押下入力を受け付けてその操作情報をＣＰＵ２１に出力する。また、操作部２４は、表示部２５の表面を覆うように透明電極を格子状に配置したタッチパネル等を有し、手指やタッチペン等で押下された位置を検出し、その位置情報を操作情報としてＣＰＵ２１に出力する。
【００２８】
表示部２５は、ＬＣＤ等により構成されている。表示部２５には、ＣＰＵ２１から入力される表示信号の指示に従って、各種画面を表示する。
【００２９】
通信部２６は、無線により基地局又はアクセスポイントを介してインターネット５に接続し、インターネット５に接続されたサーバ１との通信を行う。また、通信部２６は、例えば、Ｗｉ−Ｆｉ等の無線通信方式により、ビーコン４から発信されるビーコンＩＤを受信する。
【００３０】
図４は、ネットワークカメラ３の機能的構成を示すブロック図である。
図４に示すように、ネットワークカメラ３は、ＣＰＵ３１と、ＲＡＭ３２と、記憶部３３と、撮影部３４と、操作部３５と、通信部（撮像装置側送信手段）３６とを備えている。また、ネットワークカメラ３の各部は、バス３７を介して接続されている。
【００３１】
ＣＰＵ３１は、ネットワークカメラ３の各部を制御する。ＣＰＵ３１は、記憶部３３に記憶されている各種プログラムのうち、指定されたプログラムを読み出し、ＲＡＭ３２のワークエリアに展開し、当該プログラムに従って各種処理を実行する。
【００３２】
ＲＡＭ３２は、例えば、揮発性のメモリであり、ＣＰＵ３１により読み出された各種のプログラムやデータを一時的に格納するワークエリアを有する。
【００３３】
記憶部３３は、例えば、ＨＤＤ、ＳＳＤ等により構成され、データ及びプログラムを書き込み及び読み出し可能な記憶部である。また、記憶部３３は、プログラム３３ａを記憶している。プログラム３３ａは、ＣＰＵ３１により実行される上述の各種システムプログラム及びアプリケーションプログラムを含む。
【００３４】
撮影部３４は、被写体となるユーザを撮影して撮影画像を生成する。撮影部３４は、図示は省略するが、光学系及び撮像素子を備えるカメラと、カメラを制御する撮影制御部とを備えている。撮像素子は、例えば、ＣＣＤ（Charge Coupled Device）やＣＭＯＳ（Complementary Metal Oxide Semiconductor）等のイメージセンサである。そして、撮像素子は、光学系を通過した光学像を２次元の画像信号に変換する。
【００３５】
操作部３５は、各種機能キーを備え、各キーの押下入力を受け付けてその操作情報をＣＰＵ３１に出力する。
【００３６】
通信部３６は、無線により基地局又はアクセスポイントを介してインターネット５に接続し、インターネット５に接続されたサーバ１に対して、撮影部３４で撮像された画像の画像情報を随時送信する。ここで、サーバ１に対して画像情報が送信される際は、この画像情報の画像を撮像したネットワークカメラ３の撮影エリアに設置されているビーコン４のビーコンＩＤが対応付けられて送信されるものとする。これにより、サーバ１は、受信した画像情報の画像がどこのエリアで撮影された画像であるかを識別することができるようになっている。
【００３７】
＜自分撮りシステムによる撮影サービス＞
次に、自分撮りシステム１００を利用した撮影サービスの詳細について、図５〜図７を参照して説明する。
【００３８】
図５は、自分撮りシステム１００を用いた撮影サービスの一例を示すイメージ図である。
図５に示すように、スキー場の滑走コースに沿った複数のエリア（例えば、第１〜第３エリアＲ１〜Ｒ３）のそれぞれにネットワークカメラ３及びビーコン４が設置されている。ユーザが所持している携帯端末２は、各ビーコン４から受信したビーコンＩＤに基づきトラッキングデータを生成しサーバ１へ送信する。サーバ１は、このトラッキングデータに基づいて、ユーザが各エリア内へ進入（enter）した日時、退出（leave）した日時を特定することができるようになっており、各ネットワークカメラ３で撮影された画像からこのユーザの関連する部分の画像を特定する。そして、サーバ１は、特定された画像を切り出し、時系列につなげて１本の動画像とし、この動画像を当該ユーザへ提供することができるようになっている。
【００３９】
自分撮りシステム１００を用いた撮影サービスの提供を受ける場合、ユーザは自分が所持する携帯端末２からインターネット５を介して所定のＳＮＳ（ソーシャル・ネットワーク・サービスシステム）サイト６へアクセスする。そして、ユーザがサイト内のチャット機能を起動して、会話の相手としてカメラボットを登録（フレンド登録）することにより、このユーザを対象とした撮影サービス（個人撮影サービス）が開始されることとなる。ここで、カメラボットとは、撮影サービスの受付等を担当するボットであり、専属カメラマンを擬人化したものである。そして、撮影サービスが開始されると、ＳＮＳサイト６を介して、カメラボットの登録を行ったユーザを識別するユーザＩＤがサーバ１へ送信され、このユーザを対象とするログファイルがサーバ１において作成されるようになっている。
【００４０】
撮影サービスとしては、個人撮影サービスの他にグループ撮影サービスがある。グループ撮影サービスを開始するためには、このサービスを受けようとするグループを対象としたグループ用のチャットへカメラボットを登録することにより、このグループの各メンバーを対象とした撮影サービス（グループ撮影サービス）が開始されることとなる。そして、撮影サービスが開始されると、ＳＮＳサイト６を介して、各メンバーを識別するユーザＩＤがサーバ１へ送信され、グループを対象とするログファイルがサーバ１において作成されるようになっている。
【００４１】
図６は、個人用のチャット内でのカメラボットとの会話の流れを示す図である。
図６に示すように、例えば、個人撮影サービスを受けようとするユーザＡが携帯端末２を介してＳＮＳサイト６内のチャット機能を起動させ、会話の相手としてカメラボットＣＢを登録すると、ユーザＡを識別するユーザＩＤ（例えば、「００１」）がサーバ１へ送信され、サーバ１は、カメラボットＣＢによる「初めまして！カメラボットです。フレンド登録有難う。Ａさんをカメラでずっと撮影しますよ〜」という内容のメッセージＭ１が、ユーザＡが所持する携帯端末２の表示部２５に表示されるように制御を行う。そして、サーバ１においてユーザＡ用のログファイルが作成されると、サーバ１は、カメラボットＣＢによる「撮影準備ＯＫ！行ってらっしゃいませ」という内容のメッセージＭ２が表示部２５に表示されるように制御を行う。
【００４２】
次いで、図５に示すように、ユーザＡが滑走を開始して第１エリアＲ１に進入すると、ユーザＡが所持する携帯端末２は、通信部２６を介して、第１エリアＲ１に設置されているビーコン４からビーコンＩＤ（＝Beacon1）を受信する。そして、携帯端末２は、ビーコンＩＤを受信した日時と、ビーコンＩＤと、ユーザＡを識別するユーザＩＤと、進入フラグ（enter）とからなるトラッキングデータを、通信部２６を介してサーバ１へ送信する。そして、サーバ１は、通信部１６を介して、このトラッキングデータを受信すると、ログファイルＤＢ１３ｂのユーザＡ用のログファイルにこのトラッキングデータを格納する。また、サーバ１は、このトラッキングデータに進入フラグが含まれていることを検出することによって、図６に示すように、カメラボットＣＢによる「Ａさん撮影中ＣＡＭ１」という内容のメッセージＭ３が表示部２５に表示されるように制御を行う。ここで、メッセージＭ３の「ＣＡＭ１」とは、第１エリアＲ１に設置されたネットワークカメラ３を意味する。
【００４３】
次いで、図６に示すように、ユーザＡによる携帯端末２の操作に基づき、ユーザＡによる「行ってきまーす！」という内容のメッセージＭ４が表示部２５に表示されると、このメッセージＭ４がサーバ１へ送信され、サーバ１は、メッセージＭ４とメッセージＭ４が発信された日時とを対応付けてユーザＡ用のログファイルに格納する。
【００４４】
次いで、図５に示すように、ユーザＡが第１エリアＲ１から退出してビーコンＩＤ（＝Beacon1）の受信が一定時間途切れると、携帯端末２は、ビーコンＩＤの受信が途切れた日時と、このビーコンＩＤと、ユーザＡを識別するユーザＩＤと、退出フラグ（leave）とからなるトラッキングデータを、通信部２６を介してサーバ１へ送信する。そして、サーバ１は、通信部１６を介して、このトラッキングデータを受信すると、ユーザＡ用のログファイルにこのトラッキングデータを格納する。
【００４５】
次いで、図５に示すように、ユーザＡが第２エリアＲ２に進入すると、ユーザＡが所持する携帯端末２は、通信部２６を介して、第２エリアＲ２に設置されているビーコン４からビーコンＩＤ（＝Beacon2）を受信する。そして、携帯端末２は、ビーコンＩＤを受信した日時と、ビーコンＩＤと、ユーザＡを識別するユーザＩＤと、進入フラグ（enter）とからなるトラッキングデータを、通信部２６を介してサーバ１へ送信する。そして、サーバ１は、通信部１６を介して、このトラッキングデータを受信すると、ユーザＡ用のログファイルにこのトラッキングデータを格納する。また、サーバ１は、このトラッキングデータに進入フラグが含まれていることを検出することによって、図６に示すように、カメラボットＣＢによる「Ａさん撮影中ＣＡＭ２」という内容のメッセージＭ５が表示部２５に表示されるように制御を行う。ここで、メッセージＭ５の「ＣＡＭ２」とは、第２エリアＲ２に設置されたネットワークカメラ３を意味する。
【００４６】
次いで、図６に示すように、ユーザＡによる携帯端末２の操作に基づき、ユーザＡによる「あー疲れた〜」という内容のメッセージＭ６が表示部２５に表示されると、このメッセージＭ６がサーバ１へ送信され、サーバ１は、メッセージＭ６とメッセージＭ６が発信された日時とを対応付けてユーザＡ用のログファイルに格納する。
【００４７】
次いで、図６に示すように、ユーザＡによる携帯端末２の操作に基づき、ユーザＡによる「撮影終了」という内容のメッセージＭ７が表示部２５に表示されると、このメッセージＭ７がサーバ１へ送信され、サーバ１は、カメラボットＣＢによる「撮影終了します」という内容のメッセージＭ８が表示部２５に表示されるように制御を行う。そして、サーバ１は、カメラボットＣＢによる「只今編集中です」という内容のメッセージＭ９が表示部２５に表示されるように制御を行うとともに、ユーザＡ用のログファイルへのトラッキングデータやメッセージの記録を終了して画像情報ＤＢ１３ｃに格納されている画像情報に基づき画像の編集処理を行う。
【００４８】
具体的には、サーバ１は、図８（ａ）に示すユーザＡ用のログファイルを参照し、画像情報ＤＢ１３に格納されている画像情報のうちからユーザＡの関連する部分（例えば、ユーザＡが各エリアＲ１〜Ｒ３に進入している期間の画像）を特定する。そして、サーバ１は、特定された画像を切り出して、時系列に合成して１本の動画像を生成する。なお、ユーザＡが各エリアＲ１〜Ｒ３に進入している期間にログファイルへ格納されたメッセージがある場合には、このメッセージを動画像に反映させるようにしても良く、例えば、このメッセージを動画上にテロップで流すようにする。
【００４９】
次いで、編集処理が終了すると、図６に示すように、サーバ１は、カメラボットＣＢによる「ハイ、出来ました！」という内容のメッセージＭ１０とともに編集された動画像のサムネイル画像ＳＧ１が表示部２５に表示されるように制御を行う。なお、ユーザ操作に基づきサムネイル画像ＳＧ１をタッチ操作することにより、編集された動画像を再生できるようにしても良い。
【００５０】
次いで、図６に示すように、ユーザＡによる携帯端末２の操作に基づき、ユーザＡによる「みんなにも見せたいな」という内容のメッセージＭ１１が表示部２５に表示されると、このメッセージＭ１１がサーバ１へ送信され、サーバ１は、カメラボットＣＢによる「動画共有サイトで公開しますか？ＹＥＳ｜ＮＯ」という内容のメッセージＭ１２が表示部２５に表示されるように制御を行う。そして、ユーザＡによる携帯端末２の操作に基づき、ユーザＡによる「ＹＥＳ」という内容のメッセージＭ１３が表示部２５に表示されると、このメッセージＭ１３がサーバ１へ送信され、サーバ１は、カメラボットＣＢによる「了解しました！」という内容のメッセージＭ１４が表示部２５に表示されるように制御を行う。そして、サーバ１は、生成した動画像を動画共有サイトにアップロードし、公開用のＵＲＬを示すメッセージＭ１５が表示部２５に表示されるように制御を行う。
【００５１】
図７は、グループ用のチャット内でのカメラボットとの会話の流れを示す図である。ここで、グループ用のチャットに参加しているメンバーは、図５に示されているユーザＡとユーザＢであり、このグループの名称をグループＧとして、以下説明を行う。図７に示すように、例えば、グループ撮影サービスを受けようとするユーザＡが携帯端末２を介してＳＮＳサイト６内のチャット機能を起動させ、グループＧ用のチャットにカメラボットＣＢを登録すると、サーバ１は、カメラボットＣＢによる「カメラボットがグループＧに参加しました。これからみんなを撮影しますよ！」という内容のメッセージＭ２１が、各メンバー（ユーザＡ及びユーザＢ）の携帯端末２の表示部２５に表示されるように制御を行う。そして、サーバ１においてグループＧ用のログファイルが作成されると、サーバ１は、カメラボットＣＢによる「撮影準備ＯＫ！行ってらっしゃいませ」という内容のメッセージＭ２２が表示部２５に表示されるように制御を行う。
【００５２】
次いで、図５に示すように、ユーザＡが滑走を開始して第１エリアＲ１に進入すると、ユーザＡが所持する携帯端末２は、通信部２６を介して、第１エリアＲ１に設置されているビーコン４からビーコンＩＤ（＝Beacon1）を受信する。そして、携帯端末２は、ビーコンＩＤを受信した日時と、ビーコンＩＤと、ユーザＡを識別するユーザＩＤ（＝「００１」）と、進入フラグとからなるトラッキングデータを、通信部２６を介してサーバ１へ送信する。そして、サーバ１は、通信部１６を介して、このトラッキングデータを受信すると、ログファイルＤＢ１３ｂのグループＧ用のログファイルにこのトラッキングデータを格納する。また、サーバ１は、このトラッキングデータに進入フラグが含まれていることを検出することによって、図７に示すように、カメラボットＣＢによる「Ａさん撮影中（ＣＡＭ１）」という内容のメッセージＭ２３が表示部２５に表示されるように制御を行う。
【００５３】
次いで、図７に示すように、ユーザＡによる携帯端末２の操作に基づき、ユーザＡによる「よろしく！」という内容のメッセージＭ２４が表示部２５に表示されると、このメッセージＭ２４がサーバ１へ送信され、サーバ１は、メッセージＭ２４とメッセージＭ２４が発信された日時とを対応付けてグループＧ用のログファイルに格納する。
【００５４】
次いで、図５に示すように、ユーザＡが第１エリアＲ１から退出してビーコンＩＤ（＝Beacon1）の受信が一定時間途切れると、携帯端末２は、ビーコンＩＤの受信が途切れた日時と、このビーコンＩＤと、ユーザＡを識別するユーザＩＤと、退出フラグとからなるトラッキングデータを、通信部２６を介してサーバ１へ送信する。そして、サーバ１は、通信部１６を介して、このトラッキングデータを受信すると、グループＧ用のログファイルにこのトラッキングデータを格納する。
【００５５】
次いで、図５に示すように、ユーザＢが第２エリアＲ２に進入すると、ユーザＢが所持する携帯端末２は、通信部２６を介して、第２エリアＲ２に設置されているビーコン４からビーコンＩＤ（＝Beacon2）を受信する。そして、携帯端末２は、ビーコンＩＤを受信した日時と、ビーコンＩＤと、ユーザＢを識別するユーザＩＤ（＝「００２」）と、進入フラグとからなるトラッキングデータを、通信部２６を介してサーバ１へ送信する。そして、サーバ１は、通信部１６を介して、このトラッキングデータを受信すると、グループＧ用のログファイルにこのトラッキングデータを格納する。また、サーバ１は、このトラッキングデータに進入フラグが含まれていることを検出することによって、図７に示すように、カメラボットＣＢによる「Ｂさん撮影中（ＣＡＭ２）」という内容のメッセージＭ２５が表示部２５に表示されるように制御を行う。
【００５６】
次いで、図７に示すように、ユーザＢによる携帯端末２の操作に基づき、ユーザＢによる「はらへった〜」という内容のメッセージＭ２６が表示部２５に表示されると、このメッセージＭ２６がサーバ１へ送信され、サーバ１は、メッセージＭ２６とメッセージＭ２６が発信された日時とを対応付けてグループＧ用のログファイルに格納する。
【００５７】
次いで、図７に示すように、ユーザＡによる携帯端末２の操作に基づき、ユーザＡによる「撮影終了」という内容のメッセージＭ２７が表示部２５に表示されると、このメッセージＭ２７がサーバ１へ送信され、サーバ１は、カメラボットＣＢによる「撮影終了します」という内容のメッセージＭ２８が表示部２５に表示されるように制御を行う。そして、サーバ１は、カメラボットＣＢによる「只今編集中です」という内容のメッセージＭ２９が表示部２５に表示されるように制御を行うとともに、グループＧ用のログファイルへのトラッキングデータやメッセージの記録を終了して画像情報ＤＢ１３ｃに格納されている画像情報に基づき画像の編集処理を行う。
【００５８】
具体的には、サーバ１は、図８（ｂ）に示すグループＧ用のログファイルを参照し、画像情報ＤＢ１３に格納されている画像情報のうちからユーザＡとユーザＢの関連する部分（例えば、ユーザＡとユーザＢとがそれぞれ各エリアＲ１〜Ｒ３に進入している期間の画像）を特定する。そして、サーバ１は、特定された画像を切り出して、時系列に合成して１本の動画像を生成する。なお、ユーザＡとユーザＢとがそれぞれ各エリアＲ１〜Ｒ３に進入している期間にログファイルへ格納されたメッセージがある場合には、このメッセージを動画像に反映させるようにしても良く、例えば、このメッセージを動画上にテロップで流すようにする。
【００５９】
次いで、編集処理が終了すると、図７に示すように、サーバ１は、カメラボットＣＢによる「ハイ、出来ました！」という内容のメッセージＭ３０とともに編集された動画像のサムネイル画像ＳＧ２が表示部２５に表示されるように制御を行う。なお、ユーザ操作に基づきサムネイル画像ＳＧ２をタッチ操作することにより、編集された動画像を再生できるようにしても良い。
【００６０】
次いで、図７に示すように、ユーザＡによる携帯端末２の操作に基づき、ユーザＡによる「みんなにも見せたいな」という内容のメッセージＭ３１が表示部２５に表示されると、このメッセージＭ３１がサーバ１へ送信され、サーバ１は、カメラボットＣＢによる「動画共有サイトで公開しますか？ＹＥＳ｜ＮＯ」という内容のメッセージＭ３２が表示部２５に表示されるように制御を行う。そして、ユーザＡによる携帯端末２の操作に基づき、ユーザＡによる「ＹＥＳ」という内容のメッセージＭ３３が表示部２５に表示されると、このメッセージＭ３３がサーバ１へ送信され、サーバ１は、カメラボットＣＢによる「了解しました！」という内容のメッセージＭ３４が表示部２５に表示されるように制御を行う。そして、サーバ１は、生成した動画像を動画共有サイトにアップロードし、公開用のＵＲＬを示すメッセージＭ３５が表示部２５に表示されるように制御を行う。
【００６１】
次に、自分撮りシステム１００におけるサーバ１の画像編集処理の制御手順について説明する。
図９は、画像編集処理の制御手順を示すフローチャートである。
【００６２】
図９に示すように、画像編集処理が開始されると、サーバ１のＣＰＵ１１は、通信部１６を介して、第１〜第３エリアＲ１〜Ｒ３（図５参照）に設置されている各ネットワーク３から画像情報を随時受信し（ステップＳ１）、当該画像情報を画像情報ＤＢ１３ｃに記憶する。
【００６３】
次いで、ＣＰＵ１１は、ＳＮＳサイト６を通じて、携帯端末２によりカメラボットＣＢの登録がなされたか否かを判定する（ステップＳ２）。
【００６４】
ステップＳ２において、携帯端末２によりカメラボットＣＢの登録がなされたと判定された場合（ステップＳ２；ＹＥＳ）、ＣＰＵ１１は、カメラボットＣＢの登録を行ったユーザ又はグループのログファイルを作成しログファイルＤＢ１３ｂに記憶して（ステップＳ３）、ステップＳ４の処理へ移行する。
一方、ステップＳ２において、携帯端末２によりカメラボットＣＢの登録がなされていないと判定された場合（ステップＳ２；ＮＯ）、ＣＰＵ１１は、ステップＳ３をスキップして、ステップＳ４の処理へ移行する。
【００６５】
次いで、ＣＰＵ１１は、通信部１６を介して、携帯端末２よりトラッキングデータを受信したか否かを判定する（ステップＳ４）。
【００６６】
ステップＳ４において、携帯端末２よりトラッキングデータを受信したと判定された場合（ステップＳ４；ＹＥＳ）、ＣＰＵ１１は、受信したトラッキングデータを対象のユーザ又はグループのログファイルへ格納し（ステップＳ５）、ステップＳ６の処理へ移行する。
一方、ステップＳ４において、携帯端末２よりトラッキングデータを受信していないと判定された場合（ステップＳ４；ＮＯ）、ＣＰＵ１１は、ステップＳ５をスキップして、ステップＳ６の処理へ移行する。
【００６７】
次いで、ＣＰＵ１１は、ＳＮＳサイト６を通じて、携帯端末２より撮影終了指示がなされたか否かを判定する（ステップＳ６）。
【００６８】
ステップＳ６において、携帯端末２より撮影終了指示がなされていないと判定された場合（ステップＳ６；ＮＯ）、ＣＰＵ１１は、処理をステップＳ１へ戻し、それ以降の処理を繰り返し行う。
一方、ステップＳ６において、携帯端末２より撮影終了指示がなされたと判定された場合（ステップＳ６；ＹＥＳ）、ＣＰＵ１１は、対象のユーザ又はグループのログファイルを参照して、画像情報ＤＢ１３ｃに記憶されている各画像情報の画像を編集する（ステップＳ７）。具体的には、ＣＰＵ１１は、画像情報ＤＢ１３に記憶されている各画像情報のうちから対象のユーザ又はグループの関連する部分の画像を特定する。そして、ＣＰＵ１１は、特定された画像を切り出して、時系列に合成して１本の動画像を生成する。
【００６９】
次いで、ＣＰＵ１１は、ＳＮＳサイト６を通じて、携帯端末２より公開指示がなされたか否かを判定する（ステップＳ８）。
【００７０】
ステップＳ８において、携帯端末２より公開指示がなされていないと判定された場合（ステップＳ８；ＮＯ）、ＣＰＵ１１は、処理をステップＳ１へ戻し、それ以降の処理を繰り返し行う。
一方、ステップＳ８において、携帯端末２より公開指示がなされたと判定された場合（ステップＳ８；ＹＥＳ）、ＣＰＵ１１は、ステップＳ７で編集された画像を動画共有サイトに公開し（ステップＳ９）、処理をステップＳ１へ戻し、それ以降の処理を繰り返し行う。なお、ＣＰＵ１１は、サーバ１の電源がＯＮである間、ステップＳ１〜ステップＳ９の処理を繰り返し行う。
【００７１】
以上のように、本実施形態の自分撮りシステム１００によれば、ネットワークカメラ３が当該ネットワークカメラ３で撮像された画像に係る画像情報を送信し、ビーコン４がビーコンＩＤを送信し、携帯端末２がビーコンＩＤを受信し、ビーコンＩＤの受信状況に基づき、当該ビーコンＩＤに対応するビーコン４が設置されているエリアへの被写体の出入の日時に関するトラッキングデータ（出入日時情報）を生成し、生成されたトラッキングデータを送信し、サーバ１が、ネットワークカメラ３より送信された画像情報、及び、携帯端末２より送信されたトラッキングデータを受信し、当該画像情報と当該トラッキングデータとに基づき、当該画像情報の画像から被写体の出入の日時に関連する部分の画像を特定したこととなる。
したがって、被写体が所持する携帯端末２よりトラッキングデータをサーバ１へ送信しさえすれば、サーバ１において、ネットワークカメラ３より送信された画像情報の画像から当該被写体の出入の日時に関連する部分の画像を特定することができるので、当該携帯端末の効率的な処理により当該被写体を的確に捉えることができる。
【００７２】
また、本実施形態の自分撮りシステム１００によれば、ネットワークカメラ３とビーコン４とをそれぞれ複数備え、複数のエリア（第１エリアＲ１、第２エリアＲ２、第３エリアＲ３）のそれぞれにネットワークカメラ３とビーコン４とを設置し、各ネットワークカメラ３は、当該ネットワークカメラ３で撮像された画像に係る画像情報と、当該ネットワークカメラ３と同一のエリアに設置されているビーコン４のビーコンＩＤと、を対応付けて送信し、サーバ１は、各ネットワークカメラ３より送信された画像情報及び当該画像情報と対応付けられているビーコンＩＤ、並びに、携帯端末２より送信されたトラッキングデータを受信し、当該画像情報及び当該画像情報と対応付けられているビーコンＩＤ、並びに、当該トラッキングデータに基づき、画像情報毎に、当該画像情報の画像から被写体の出入の日時に関連する部分の画像を特定したこととなる。
したがって、各エリアで撮影された画像から被写体の出入の日時に関連する部分の画像を特定することができるので、自分撮りシステム１００を多様に活用することができる。
【００７３】
また、本実施形態の自分撮りシステム１００によれば、携帯端末２を複数備え、複数の被写体がそれぞれ携帯端末２を所持し、ネットワークカメラ３は、当該ネットワークカメラ３で撮像された画像に係る画像情報と、当該ネットワークカメラ３と同一のエリアに設置されているビーコン４のビーコンＩＤと、を対応付けて送信し、各携帯端末２は、トラッキングデータとユーザＩＤとを対応付けて送信し、サーバ１は、ネットワークカメラ３より送信された画像情報及び当該画像情報と対応付けられているビーコンＩＤ、並びに、携帯端末２より送信されたトラッキングデータ及びユーザＩＤを受信し、当該画像情報及び当該画像情報と対応付けられているビーコンＩＤ、並びに、当該トラッキングデータ及びユーザＩＤに基づき、画像情報毎に、当該画像情報の画像から当該ユーザＩＤの被写体の出入の日時に関連する部分の画像を特定したこととなる。
したがって、複数の被写体のそれぞれの出入の日時に関連する部分の画像を特定することができるので、自分撮りシステム１００をより多様に活用することができる。
【００７４】
また、本実施形態の自分撮りシステム１００によれば、サーバ１は、画像情報及び当該画像情報と対応付けられているビーコンＩＤと、携帯端末２より送信されたトラッキングデータ及びユーザＩＤと、の関連性を示すログファイル（関連情報）を生成し、当該ログファイルをログファイルＤＢ１３ｂに記憶させ、ログファイルＤＢ１３ｂに記憶させているログファイルに基づき、画像情報毎に、当該画像情報の画像から所望のユーザＩＤの被写体の出入の日時に関連する部分の画像を特定したこととなる。
したがって、予めログファイルＤＢ１３ｂに記憶させているログファイルに基づき、所望のユーザＩＤの被写体の出入の日時に関連する部分の画像を特定することができるので、当該画像の特定を円滑に行うことができる。
【００７５】
また、本実施形態の自分撮りシステム１００によれば、サーバ１は、特定された複数の画像を切り出して合成したこととなる。したがって、特定された複数の画像をまとめて一度に見ることができるので、画像の確認を行いやすくすることができる。
【００７６】
また、本実施形態の自分撮りシステム１００によれば、携帯端末２は、当該携帯端末２のユーザ操作に基づき入力された入力情報を更に送信し、サーバ１は、携帯端末２より送信された入力情報を受信し、切り出された複数の画像を合成する際に、当該入力情報を更に合成したこととなる。したがって、合成する画像にメッセージ等を付加することができるようになるので、ユーザ特有の合成画像に編集することができる。
【００７７】
また、本実施形態の自分撮りシステム１００によれば、サーバ１は、切り出された複数の画像を合成する際に、トラッキングデータが示す日時の順に当該複数の画像を合成したので、時間の経過とともに変化していく被写体を確認することができる。
【００７８】
また、本実施形態の自分撮りシステム１００によれば、サーバ１は、切り出された複数の画像の合成が終了した際に、当該合成が終了したことを示す終了通知情報を携帯端末２へ送信するので、合成された合成画像を速やかに確認することができるようになる。
【００７９】
また、本実施形態の自分撮りシステム１００によれば、サーバ１は、合成された合成画像を動画共有サイトへアップロードすることができるので、合成画像を他のユーザと共有することができる。
【００８０】
なお、本発明は、上記実施形態に限定されることなく、本発明の趣旨を逸脱しない範囲において、種々の改良並びに設計の変更を行っても良い。
例えば、上記実施形態にあっては、自分撮りシステム１００をスキー場で使用した場合を例示して説明を行ったが、自分撮りシステム１００の使用場所は、被写体の移動が想定される領域であれば良く、例えば、テーマパークやマラソンコース等であっても良い。また、自分撮りシステム１００で用いられるネットワークカメラ３とビーコン４とは、所定のエリアに設置される場合に限られず、例えば、ネットワークカメラ３とビーコン４とを組み合わせて、テーマパーク内の移動体（アトラクション）に設置するようにしても良い。
【００８１】
また、上記実施形態にあっては、サーバ１において、画像の編集、編集された画像のアップロードを行うようにしたが、例えば、ユーザ操作に基づき、編集された画像へのタイトルやテロップの挿入・変更や、不要なシーンのカット等、再度の編集を行うことができるようにしても良い。
【００８２】
また、上記実施形態にあっては、グループ撮影サービスの提供を受ける各ユーザ（ユーザＡとユーザＢ）のうち、ユーザＡが撮影終了の指示と公開の指示を行っているが、例えば、グループを構成する複数のユーザのうちの予め設定がなされているユーザ（例えば、管理者）のみが撮影終了の指示や公開の指示を行えるようにしても良い。
【００８３】
また、上記実施形態にあっては、サーバ１は、画像情報ＤＢ１３に記憶されている各画像情報のうちから対象のユーザ又はグループの関連する部分を切り出して、時系列に合成して１本の動画像を生成したが、例えば、切り出された各画像を、撮影が行われた各エリア毎に合成して動画像を生成するようにしても良い。
【００８４】
また、上記実施形態にあっては、各エリア（第１エリアＲ１、第２エリアＲ２、第３エリアＲ３）のそれぞれにネットワークカメラ３とビーコン４とを設置したが、例えば、ネットワークカメラ３とビーコン４とを一体の装置として各エリアに設置するようにしても良い。
【００８５】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムであって、
前記撮像装置は、当該撮像装置で撮像された画像に係る画像情報を送信する撮像装置側送信手段を備え、
前記送信装置は、前記送信装置ＩＤを送信する送信装置側送信手段を備え、
前記携帯端末は、
前記送信装置側送信手段より送信された前記送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を送信する携帯端末側送信手段と、
を備え、
前記画像処理装置は、
前記撮像装置側送信手段より送信された前記画像情報、及び、前記携帯端末側送信手段より送信された前記情報を受信する画像処理装置側受信手段と、
前記画像処理装置側受信手段により受信された前記画像情報と前記情報とに基づき、前記画像情報の画像から前記送信装置が設置されているエリアへの前記被写体の出入の日時に関連する部分の画像を特定する画像特定手段と、
を備える、
ことを特徴とする画像処理システム。
＜請求項２＞
前記撮像装置と前記送信装置とをそれぞれ複数備え、
複数のエリアのそれぞれに前記撮像装置と前記送信装置とを設置し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記情報を受信し、
前記画像特定手段は、前記画像処理装置側受信手段により受信された前記画像情報及び当該画像情報と対応付けられている前記送信装置ＩＤ、並びに、前記携帯端末側送信手段より送信された前記情報に基づき、前記画像情報毎に、当該画像情報の画像から前記被写体の出入の日時に関連する部分の画像を特定する、
ことを特徴とする請求項１に記載の画像処理システム。
＜請求項３＞
前記携帯端末を複数備え、
複数の被写体がそれぞれ前記携帯端末を所持し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記携帯端末側送信手段は、前記携帯端末側生成手段により生成された前記情報と前記被写体のユーザＩＤとを対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記情報及び前記ユーザＩＤを受信し、
前記画像特定手段は、前記画像処理装置側受信手段により受信された前記画像情報及び当該画像情報と対応付けられている前記送信装置ＩＤ、並びに、前記携帯端末側送信手段より送信された前記情報及び前記ユーザＩＤに基づき、前記画像情報毎に、当該画像情報の画像から前記ユーザＩＤの被写体の出入の日時に関連する部分の画像を特定する、
ことを特徴とする請求項１または２に記載の画像処理システム。
＜請求項４＞
前記画像処理装置は、
前記画像処理装置側受信手段により受信された前記画像情報及び当該画像情報と対応付けられている前記送信装置ＩＤと、前記携帯端末側送信手段より送信された前記情報及び前記ユーザＩＤと、の関連性を示す関連情報を生成する画像処理装置側生成手段と、
前記画像処理装置側生成手段により生成された前記関連情報を記憶手段に記憶させる記憶制御手段と、
を更に備え、
前記画像特定手段は、前記記憶手段に記憶された前記関連情報に基づき、前記画像情報毎に、当該画像情報の画像から所望の前記ユーザＩＤの被写体の出入の日時に関連する部分の画像を特定する、
ことを特徴とする請求項３に記載の画像処理システム。
＜請求項５＞
前記画像処理装置は、前記画像特定手段により特定された画像を切り出す画像切出手段を更に備える、
ことを特徴とする請求項１〜４のいずれか一項に記載の画像処理システム。
＜請求項６＞
前記画像処理装置は、前記画像切出手段により切り出された複数の画像を合成する画像合成手段を更に備える、
ことを特徴とする請求項５に記載の画像処理システム。
＜請求項７＞
前記携帯端末側送信手段は、前記携帯端末のユーザ操作に基づき入力された入力情報を更に送信し、
前記画像処理装置側受信手段は、前記携帯端末側送信手段より送信された前記入力情報を受信し、
前記画像合成手段は、前記画像切出手段により切り出された複数の画像を合成する際に、前記画像処理装置側受信手段により受信された前記入力情報を更に合成する、
ことを特徴とする請求項６に記載の画像処理システム。
＜請求項８＞
前記画像合成手段は、前記画像切出手段により切り出された複数の画像を合成する際に、当該複数の画像を時系列に沿って合成する、
ことを特徴とする請求項６または７に記載の画像処理システム。
＜請求項９＞
前記画像合成手段は、前記画像切出手段により切り出された複数の画像を合成する際に、前記撮像装置が設置されたエリア毎に当該複数の画像を合成する、
ことを特徴とする請求項６〜８のいずれか一項に記載の画像処理システム。
＜請求項１０＞
前記画像処理装置は、前記画像合成手段による前記複数の画像の合成が終了した際に、当該合成が終了したことを示す終了通知情報を前記携帯端末へ送信する画像処理装置側送信手段を更に備える、
ことを特徴とする請求項６〜９のいずれか一項に記載の画像処理システム。
＜請求項１１＞
前記画像処理装置は、前記画像合成手段により合成された合成画像を画像共有サイトへアップロードするアップロード手段を更に備える、
ことを特徴とする請求項６〜１０のいずれか一項に記載の画像処理システム。
＜請求項１２＞
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムによる画像処理方法であって、
前記撮像装置によって当該撮像装置で撮像された画像に係る画像情報を送信する工程と、
前記送信装置によって前記送信装置ＩＤを送信する工程と、
前記携帯端末によって、前記送信装置より送信された前記送信装置ＩＤを受信し、当該送信装置ＩＤの受信状況に基づき、当該送信装置ＩＤに対応する情報を生成し、当該情報を送信する工程と、
前記画像処理装置によって、前記撮像装置より送信された前記画像情報、及び、前記携帯端末より送信された前記情報を受信し、前記画像情報と前記情報とに基づき、前記画像情報の画像から前記送信装置が設置されているエリアへの前記被写体の出入の日時に関連する部分の画像を特定する工程と、
を含むことを特徴とする画像処理方法。
＜請求項１３＞
所定のエリアに設置された撮像装置により撮像された画像の画像情報を受信する第１の受信手段と、
被写体が所持する携帯端末による前記所定のエリアに設置されている送信装置の送信装置ＩＤの受信状況に基づき生成された当該送信装置ＩＤに対応する情報を受信する第２の受信手段と、
前記第１の受信手段により受信された前記画像情報と、前記第２の受信手段により受信された前記情報とに基づき、前記画像情報の画像から前記送信装置が設置されているエリアへの前記被写体の出入の日時に関連する部分の画像を特定する画像特定手段と、
を備える、
ことを特徴とする画像処理装置。
＜請求項１４＞
画像処理装置のコンピュータを、
所定のエリアに設置された撮像装置により撮像された画像の画像情報を受信する第１の受信手段、
被写体が所持する携帯端末による前記所定のエリアに設置されている送信装置の送信装置ＩＤの受信状況に基づき生成された当該送信装置ＩＤに対応する情報を受信する第２の受信手段、
前記第１の受信手段により受信された前記画像情報と、前記第２の受信手段により受信された前記情報とに基づき、前記画像情報の画像から前記送信装置が設置されているエリアへの前記被写体の出入の日時に関連する部分の画像を特定する画像特定手段、
として機能させることを特徴するプログラム。
＜請求項１５＞
被写体が所持する携帯端末であって、
所定のエリアに設置され、自装置を識別する送信装置ＩＤを送信する送信装置より送信された当該送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を画像処理装置に送信する携帯端末側送信手段と、
前記所定のエリアに設置された撮像装置により撮像された画像と前記情報とに基づき、前記画像処理装置により特定された前記所定のエリアへの前記被写体の出入の日時に関連する部分の画像を取得する取得手段と、
を備えることを特徴とする携帯端末。
＜請求項１６＞
前記携帯端末側生成手段は、前記送信装置ＩＤを受信したタイミングで当該送信装置ＩＤに対応する情報を生成する、
ことを特徴とする請求項１５に記載の携帯端末。
＜請求項１７＞
前記携帯端末側生成手段は、前記送信装置ＩＤに対応する情報として、当該送信装置ＩＤに対応する前記送信装置が設置されているエリアへの前記被写体の出入の日時に関する出入日時情報を生成する、
ことを特徴とする請求項１５又は１６に記載の携帯端末。
【符号の説明】
【００８６】
１  サーバ
１１  ＣＰＵ
１２  ＲＡＭ
１３  記憶部
１３ａ  プログラム
１３ｂ  ログファイルＤＢ
１３ｃ  画像情報ＤＢ
１４  操作部
１５  表示部
１６  通信部
２  携帯端末
２１  ＣＰＵ
２２  ＲＡＭ
２３  記憶部
２３ａ  プログラム
２４  操作部
２５  表示部
２６  通信部
３  ネットワークカメラ
３１  ＣＰＵ
３２  ＲＡＭ
３３  記憶部
３３ａ  プログラム
３４  撮影部
３５  操作部
３６  通信部
４  ビーコン
５  インターネット
６  ＳＮＳサイト
１００  自分撮りシステム
【図１】
2019114952.tif 000003
【図２】
2019114952.tif 000004
【図３】
2019114952.tif 000005
【図４】
2019114952.tif 000006
【図５】
2019114952.tif 000007
【図６】
2019114952.tif 000008
【図７】
2019114952.tif 000009
【図８】
2019114952.tif 000010
【図９】
2019114952.tif 000011
【手続補正書】
【提出日】平成30年12月7日(2018.12.7)
【手続補正１】
【補正対象書類名】明細書
【補正対象項目名】０００６
【補正方法】変更
【補正の内容】
【０００６】
上記課題を解決するため、本発明の画像処理システムは、
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムであって、
前記撮像装置は、当該撮像装置で撮像された画像に係る画像情報を送信する撮像装置側送信手段を備え、
前記送信装置は、前記送信装置ＩＤを送信する送信装置側送信手段を備え、
前記携帯端末は、
前記送信装置側送信手段より送信された前記送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された送信装置ＩＤに対応する情報又は前記送信装置ＩＤを送信する携帯端末側送信手段と、
を備え、
前記画像処理装置は、
前記撮像装置側送信手段より送信された前記画像情報、及び、前記携帯端末側送信手段より送信された前記送信装置ＩＤに対応する情報又は前記送信装置ＩＤを受信する画像処理装置側受信手段と、
前記画像処理装置側受信手段により受信された前記画像情報と前記送信装置ＩＤに対応する情報又は前記送信装置ＩＤとに基づき、前記画像情報の画像から前記送信装置が設置されているエリアへの前記被写体の出入の時間に関連する部分の画像を特定する画像特定手段と、
を備える、
ことを特徴とする。
【手続補正２】
【補正対象書類名】特許請求の範囲
【補正対象項目名】全文
【補正方法】変更
【補正の内容】
【特許請求の範囲】
【請求項１】
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムであって、
前記撮像装置は、当該撮像装置で撮像された画像に係る画像情報を送信する撮像装置側送信手段を備え、
前記送信装置は、前記送信装置ＩＤを送信する送信装置側送信手段を備え、
前記携帯端末は、
前記送信装置側送信手段より送信された前記送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された送信装置ＩＤに対応する情報又は前記送信装置ＩＤを送信する携帯端末側送信手段と、
を備え、
前記画像処理装置は、
前記撮像装置側送信手段より送信された前記画像情報、及び、前記携帯端末側送信手段より送信された前記送信装置ＩＤに対応する情報又は前記送信装置ＩＤを受信する画像処理装置側受信手段と、
前記画像処理装置側受信手段により受信された前記画像情報と前記送信装置ＩＤに対応する情報又は前記送信装置ＩＤとに基づき、前記画像情報の画像から前記送信装置が設置されているエリアへの前記被写体の出入の時間に関連する部分の画像を特定する画像特定手段と、
を備える、
ことを特徴とする画像処理システム。
【請求項２】
前記撮像装置と前記送信装置とをそれぞれ複数備え、
複数のエリアのそれぞれに前記撮像装置と前記送信装置とを設置し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記送信装置ＩＤに対応する情報を受信し、
前記画像特定手段は、前記画像処理装置側受信手段により受信された前記画像情報及び当該画像情報と対応付けられている前記送信装置ＩＤ、並びに、前記携帯端末側送信手段より送信された前記送信装置ＩＤに対応する情報に基づき、前記画像情報毎に、当該画像情報の画像から前記被写体の出入の時間に関連する部分の画像を特定する、
ことを特徴とする請求項１に記載の画像処理システム。
【請求項３】
前記携帯端末を複数備え、
複数の被写体がそれぞれ前記携帯端末を所持し、
前記撮像装置側送信手段は、当該撮像装置で撮像された画像に係る画像情報と、当該撮像装置と同一のエリアに設置されている前記送信装置の送信装置ＩＤと、を対応付けて送信し、
前記携帯端末側送信手段は、前記携帯端末側生成手段により生成された前記送信装置ＩＤに対応する情報又は前記送信装置ＩＤと前記被写体のユーザＩＤとを対応付けて送信し、
前記画像処理装置側受信手段は、前記撮像装置側送信手段より送信された前記画像情報及び当該画像情報と対応付けられている前記送信装置ＩＤ、並びに、前記携帯端末側送信手段より送信された前記送信装置ＩＤに対応する情報及び前記ユーザＩＤを受信し、
前記画像特定手段は、前記画像処理装置側受信手段により受信された前記画像情報及び当該画像情報と対応付けられている前記送信装置ＩＤ、並びに、前記携帯端末側送信手段より送信された前記送信装置ＩＤに対応する情報及び前記ユーザＩＤに基づき、前記画像情報毎に、当該画像情報の画像から前記ユーザＩＤに対応する被写体の出入の時間に関連する部分の画像を特定する、
ことを特徴とする請求項１または２に記載の画像処理システム。
【請求項４】
前記画像処理装置は、
前記画像処理装置側受信手段により受信された前記画像情報及び当該画像情報と対応付けられている前記送信装置ＩＤと、前記携帯端末側送信手段より送信された前記送信装置ＩＤに対応する情報又は前記送信装置ＩＤ及び前記ユーザＩＤと、の関連性を示す関連情報を生成する画像処理装置側生成手段と、
前記画像処理装置側生成手段により生成された前記関連情報を記憶手段に記憶させる記憶制御手段と、
を更に備え、
前記画像特定手段は、前記記憶手段に記憶された前記関連情報に基づき、前記画像情報毎に、当該画像情報の画像から所望の前記ユーザＩＤに対応する被写体の出入の時間に関連する部分の画像を特定する、
ことを特徴とする請求項３に記載の画像処理システム。
【請求項５】
前記画像処理装置は、前記画像特定手段により特定された画像を切り出す画像切出手段を更に備える、
ことを特徴とする請求項１〜４のいずれか一項に記載の画像処理システム。
【請求項６】
前記画像処理装置は、前記画像切出手段により切り出された複数の画像を合成する画像合成手段を更に備える、
ことを特徴とする請求項５に記載の画像処理システム。
【請求項７】
前記携帯端末側送信手段は、前記携帯端末のユーザ操作に基づき入力された入力情報を更に送信し、
前記画像処理装置側受信手段は、前記携帯端末側送信手段より送信された前記入力情報を受信し、
前記画像合成手段は、前記画像切出手段により切り出された複数の画像を合成する際に、前記画像処理装置側受信手段により受信された前記入力情報を更に合成する、
ことを特徴とする請求項６に記載の画像処理システム。
【請求項８】
前記画像合成手段は、前記画像切出手段により切り出された複数の画像を合成する際に、当該複数の画像を時系列に沿って合成する、
ことを特徴とする請求項６または７に記載の画像処理システム。
【請求項９】
前記画像合成手段は、前記画像切出手段により切り出された複数の画像を合成する際に、前記撮像装置が設置されたエリア毎に当該複数の画像を合成する、
ことを特徴とする請求項６〜８のいずれか一項に記載の画像処理システム。
【請求項１０】
前記画像処理装置は、前記画像合成手段による前記複数の画像の合成が終了した際に、当該合成が終了したことを示す終了通知情報を前記携帯端末へ送信する画像処理装置側送信手段を更に備える、
ことを特徴とする請求項６〜９のいずれか一項に記載の画像処理システム。
【請求項１１】
前記画像処理装置は、前記画像合成手段により合成された合成画像を画像共有サイトへアップロードするアップロード手段を更に備える、
ことを特徴とする請求項６〜１０のいずれか一項に記載の画像処理システム。
【請求項１２】
被写体が所持する携帯端末と、
所定のエリアに設置される撮像装置と、
前記所定のエリアに設置され、自装置を識別する送信装置ＩＤを送信する送信装置と、
前記撮像装置で撮像された画像を処理する画像処理装置と、
を備える画像処理システムによる画像処理方法であって、
前記撮像装置によって当該撮像装置で撮像された画像に係る画像情報を送信する工程と、
前記送信装置によって前記送信装置ＩＤを送信する工程と、
前記携帯端末によって、前記送信装置より送信された前記送信装置ＩＤを受信し、当該送信装置ＩＤの受信状況に基づき、当該送信装置ＩＤに対応する情報を生成し、生成された当該送信装置ＩＤに対応する情報又は前記送信装置ＩＤを送信する工程と、
前記画像処理装置によって、前記撮像装置より送信された前記画像情報、及び、前記携帯端末より送信された前記送信装置ＩＤに対応する情報又は前記送信装置ＩＤを受信し、前記画像情報と前記送信装置ＩＤに対応する情報又は前記送信装置ＩＤとに基づき、前記画像情報の画像から前記送信装置が設置されているエリアへの前記被写体の出入の時間に関連する部分の画像を特定する工程と、
を含むことを特徴とする画像処理方法。
【請求項１３】
所定のエリアに設置された撮像装置により撮像された画像の画像情報を受信する第１の受信手段と、
被写体が所持する携帯端末による前記所定のエリアに設置されている送信装置の送信装置ＩＤの受信状況に基づき生成された当該送信装置ＩＤに対応する情報を受信する第２の受信手段と、
前記第１の受信手段により受信された前記画像情報と、前記第２の受信手段により受信された前記送信装置ＩＤに対応する情報又は前記送信装置ＩＤとに基づき、前記画像情報の画像から前記送信装置が設置されているエリアへの前記被写体の出入の時間に関連する部分の画像を特定する画像特定手段と、
を備える、
ことを特徴とする画像処理装置。
【請求項１４】
画像処理装置のコンピュータを、
所定のエリアに設置された撮像装置により撮像された画像の画像情報を受信する第１の受信手段、
被写体が所持する携帯端末による前記所定のエリアに設置されている送信装置の送信装置ＩＤの受信状況に基づき生成された当該送信装置ＩＤに対応する情報を受信する第２の受信手段、
前記第１の受信手段により受信された前記画像情報と、前記第２の受信手段により受信された前記送信装置ＩＤに対応する情報又は前記送信装置ＩＤとに基づき、前記画像情報の画像から前記送信装置が設置されているエリアへの前記被写体の出入の時間に関連する部分の画像を特定する画像特定手段、
として機能させるためのプログラム。
【請求項１５】
被写体が所持する携帯端末であって、
所定のエリアに設置され、自装置を識別する送信装置ＩＤを送信する送信装置より送信された当該送信装置ＩＤを受信する携帯端末側受信手段と、
前記携帯端末側受信手段による前記送信装置ＩＤの受信状況に基づき、当該送信装置ＩＤに対応する情報を生成する携帯端末側生成手段と、
前記携帯端末側生成手段により生成された情報を画像処理装置に送信する携帯端末側送信手段と、
前記所定のエリアに設置された撮像装置により撮像された画像と前記送信装置ＩＤに対応する情報又は前記送信装置ＩＤとに基づき、前記画像処理装置により特定された前記所定のエリアへの前記被写体の出入の時間に関連する部分の画像を取得する取得手段と、
を備えることを特徴とする携帯端末。
【請求項１６】
前記携帯端末側生成手段は、前記送信装置ＩＤを受信したタイミングで当該送信装置ＩＤに対応する情報を生成する、
ことを特徴とする請求項１５に記載の携帯端末。
【請求項１７】
前記携帯端末側生成手段は、前記送信装置ＩＤに対応する情報として、当該送信装置ＩＤに対応する前記送信装置が設置されているエリアへの前記被写体の出入の時間に関する出入時間情報を生成する、
ことを特徴とする請求項１５又は１６に記載の携帯端末。